(57)【要約】【課題】変換部材を有する画像表示装置において、ローカルデミング制御に起因した色表示ムラを低減することができる技術を提供する。【解決手段】本発明の画像表示装置は、各々が第１色の光を発する複数の光源、及び、各光源からの第１色の光の一部を第２色の光に変換して第１色の光と第２色の光とを含む光を出射する変換部材を有する発光部と、発光部からの光を画像データに基づいて変調することで画像を表示する表示部と、入力画像データに基づいて各光源の発光輝度を制御する制御手段と、各発光輝度に基づいて、発光部からの第１色の合成光の第１輝度分布と、発光部からの第２色の合成光の第２輝度分布とを推定する推定手段と、第１輝度分布と第２輝度分布に基づいて、第１輝度分布と第２輝度分布の差に起因した画面の色ムラを低減する画像処理を入力画像データに施す画像処理手段と、を有する。【選択図】図１
2017138585.tif 000002
【特許請求の範囲】
【請求項１】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
前記複数の光源の各々の発光輝度に基づいて、前記発光部から発せられる前記第１色の光を合成した合成光の輝度分布である第１輝度分布と、前記発光部から発せられる前記第２色の光を合成した合成光の輝度分布である第２輝度分布とを推定する推定手段と、
前記第１輝度分布と前記第２輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理手段と、
を有することを特徴とする画像表示装置。
【請求項２】
前記変換部材は、前記第１色の光を前記第２色の光に変換する量子ドットを含む
ことを特徴とする請求項１に記載の画像表示装置。
【請求項３】
前記第２色の光の主波長は、前記第１色の光の主波長よりも長い
ことを特徴とする請求項１または２に記載の画像表示装置。
【請求項４】
前記第１色は青色であり、前記第２色は赤色または緑色である
ことを特徴とする請求項１〜３のいずれか１項に記載の画像表示装置。
【請求項５】
前記変換部材は、各光源から発せられた前記第１色の光の一部を前記第２色とは異なる第３色の光に変換して前記第１色の光と前記第２色の光と前記第３色の光とを含む光を出射し、
前記表示部は、前記発光部から出射された、前記第１色の光と前記第２色の光と前記第３色の光とを含む光を、前記画像データに基づいて変調することで、前記画面に前記画像を表示し、
前記推定手段は、前記複数の光源の各々の発光輝度に基づいて、
前記第１輝度分布と、
前記発光部から発せられる前記第２色の光を合成した前記合成光の前記輝度分布であり、かつ、前記発光部から発せられる前記第３色の光を合成した合成光の輝度分布である、前記第２輝度分布と、
を推定する
ことを特徴とする請求項１〜５のいずれか１項に記載の画像表示装置。
【請求項６】
前記第３色の光の主波長は、前記第１色の光の主波長よりも長い
ことを特徴とする請求項５に記載の画像表示装置。
【請求項７】
前記第１色は青色であり、前記第２色は赤色であり、前記第３色は緑色である
ことを特徴とする請求項５または６に記載の画像表示装置。
【請求項８】
前記光源について、当該光源の発光輝度が所定の発光輝度に制御された場合において前記発光部から発せられる前記第１色の光の輝度分布である第１基準分布と、当該光源の発光輝度が前記所定の発光輝度に制御された場合において前記発光部から発せられる前記第２色の光の輝度分布である第２基準分布とが予め定められており、
前記推定手段は、
前記制御手段によって決定された前記複数の光源の各々の発光輝度と、前記第１基準分布とに基づいて、前記第１輝度分布を推定し、
前記制御手段によって決定された前記複数の光源の各々の発光輝度と、前記第２基準分布とに基づいて、前記第２輝度分布を推定する
ことを特徴とする請求項１〜７のいずれか１項に記載の画像表示装置。
【請求項９】
前記推定手段は、
前記複数の光源の各々について、その光源に対して前記制御手段により決定された発光輝度と、前記第１基準分布とに基づいて、当該光源の発光輝度が前記制御手段により決定された発光輝度に制御された場合において前記発光部から発せられる前記第１色の光の輝度分布である第１部分分布を推定し、
前記複数の光源の各々について、その光源に対して前記制御手段により決定された発光輝度と、前記第２基準分布とに基づいて、当該光源の発光輝度が前記制御手段により決定された発光輝度に制御された場合において前記発光部から発せられる前記第２色の光の輝度分布である第２部分分布とを推定し、
前記複数の光源の各々の第１部分分布を合成することにより前記第１輝度分布を推定し、
前記複数の光源の各々の第２部分分布を合成することにより前記第２輝度分布を推定する
ことを特徴とする請求項８に記載の画像表示装置。
【請求項１０】
前記入力画像データの各画素値は、前記第１色に対応する第１階調値と、前記第２色に対応する第２階調値とを含み、
前記画像処理では、前記第１輝度分布に基づいて前記入力画像データの各第１階調値が補正され、前記第２輝度分布に基づいて前記入力画像データの各第２階調値が補正されることを特徴とする請求項１〜９のいずれか１項に記載の画像表示装置。
【請求項１１】
前記入力画像データの各画素値は、前記第１色に対応する第１階調値と、前記第２色に対応する第２階調値とを含み、
前記画像処理では、前記第１輝度分布と前記第２輝度分布とに基づいて前記入力画像データの各第１階調値が補正され、前記第１輝度分布と前記第２輝度分布とに基づいて前記入力画像データの各第２階調値が補正される
ことを特徴とする請求項１〜９のいずれか１項に記載の画像表示装置。
【請求項１２】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
を有する画像表示装置の制御方法であって、
入力画像データに基づいて前記複数の光源の各々の発光輝度を個別に制御する制御ステップと、
前記複数の光源の各々の発光輝度に基づいて、前記発光部から発せられる前記第１色の光を合成した合成光の輝度分布である第１輝度分布と、前記発光部から発せられる前記第２色の光を合成した合成光の輝度分布である第２輝度分布とを推定する推定ステップと、
前記第１輝度分布と前記第２輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理ステップと、
を有することを特徴とする画像表示装置の制御方法。
【請求項１３】
請求項１２に記載の画像表示装置の制御方法の各ステップをコンピュータに実行させることを特徴とするプログラム。
【請求項１４】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
前記複数の光源の各々の発光輝度に基づいて、
前記発光部から発せられる前記第１色の光の輝度分布である第１輝度分布、及び、
前記発光部から発せられる前記第２色の光の輝度分布である第２輝度分布と、前記第１輝度分布との差分である第３輝度分布、
を推定する推定手段と、
前記第１輝度分布と前記第３輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理手段と、
を有することを特徴とする画像表示装置。
【請求項１５】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
第１光源の発光輝度が第２光源の発光輝度と異なる場合に、前記第１光源の付近と第２光源の付近との間で前記１色の光と前記第２色の光との輝度比が異なることに起因した前記画面の色ムラを低減する画像処理を前記入力画像データに施し、前記画像処理が施された後の画像データを前記表示部に出力する画像処理手段と、
を有することを特徴とする画像表示装置。
【請求項１６】
前記変換部材は、前記第１色の光を前記第２色の光に変換する量子ドットを含む
ことを特徴とする請求項１５に記載の画像表示装置。
【請求項１７】
前記第２色の光の主波長は、前記第１色の光の主波長よりも長い
ことを特徴とする請求項１５または１６に記載の画像表示装置。
【請求項１８】
前記第１色は青色であり、前記第２色は赤色または緑色である
ことを特徴とする請求項１５〜１７のいずれか１項に記載の画像表示装置。
【請求項１９】
前記変換部材は、各光源から発せられた前記第１色の光の一部を前記第２色とは異なる第３色の光に変換して前記第１色の光と前記第２色の光と前記第３色の光とを含む光を出射し、
前記表示部は、前記発光部から出射された、前記第１色の光と前記第２色の光と前記第３色の光とを含む光を、前記画像データに基づいて変調することで、前記画面に前記画像を表示する
ことを特徴とする請求項１５〜１８のいずれか１項に記載の画像表示装置。
【請求項２０】
前記第３色の光の主波長は、前記第１色の光の主波長よりも長い
ことを特徴とする請求項１９に記載の画像表示装置。
【請求項２１】
前記第１色は青色であり、前記第２色は赤色であり、前記第３色は緑色である
ことを特徴とする請求項１９または２０に記載の画像表示装置。
【発明の詳細な説明】
【技術分野】
【０００１】
本発明は、画像表示装置及びその制御方法に関する。
【背景技術】
【０００２】
量子ドットと呼ばれる微粒子が知られている。量子ドットは、数ｎ〜数十ｎｍのサイズ（粒径）を有する半導体微粒子である。量子ドットに光が照射されると、量子ドットの励起が引き起こされ、量子ドットが発光する。量子ドットから発せられる光の波長は、量子ドットのサイズに依存する。そのため、量子ドットのサイズを制御することにより、純度の高い色を有する光を得ることができる。「純度の高い色を有する光」は、「スペクトルのピークが鋭い光」とも言える。そして、量子ドットを用いた液晶表示装置が提案されている（特許文献１）。液晶表示装置は、バックライトモジュールと液晶パネルを有する画像表示装置である。特許文献１に開示の液晶表示装置では、量子ドットを含む変換部材が使用される。変換部材は、バックライトモジュールの光源からの光の一部を量子ドットで変換して液晶パネルへ出射し、光源からの光の一部を変換せずに液晶パネルへ出射する。
【０００３】
液晶表示装置のバックライトモジュールでは、画面の領域を構成する複数の分割領域にそれぞれ対応する複数の光源が使用されることがある。そして、そのようなバックライトモジュールに関する技術として、ローカルデミング制御が知られている（特許文献２）。ローカルデミング制御では、複数の光源の発光輝度が個別に制御される。各光源の発光輝度は、例えば、入力画像データに基づいて制御される。具体的には、入力画像データが暗い分割領域に対応する光源の発光輝度が低い発光輝度に低減される。そして、ローカルデミング制御が行われる場合、各光源の発光輝度に基づく画像処理が入力画像データに施されることがある。
【０００４】
しかしながら、上記変換部材を有する液晶表示装置では、ローカルデミング制御により、変換部材からの光に色ムラが発生する。その結果、画面に色ムラ（色表示ムラ）が発生する。
【先行技術文献】
【特許文献】
【０００５】
【特許文献１】特開２０１２−２２０２８号公報
【特許文献２】特開２００２−９９２５０号公報
【発明の概要】
【発明が解決しようとする課題】
【０００６】
本発明は、変換部材を有する画像表示装置において、ローカルデミング制御に起因した色表示ムラを低減することができる技術を提供することを目的とする。
【課題を解決するための手段】
【０００７】
本発明の第１の態様は、
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
前記複数の光源の各々の発光輝度に基づいて、前記発光部から発せられる前記第１色の光を合成した合成光の輝度分布である第１輝度分布と、前記発光部から発せられる前記第２色の光を合成した合成光の輝度分布である第２輝度分布とを推定する推定手段と、
前記第１輝度分布と前記第２輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理手段と、
を有することを特徴とする画像表示装置である。
【０００８】
本発明の第２の態様は、
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
を有する画像表示装置の制御方法であって、
入力画像データに基づいて前記複数の光源の各々の発光輝度を個別に制御する制御ステップと、
前記複数の光源の各々の発光輝度に基づいて、前記発光部から発せられる前記第１色の光を合成した合成光の輝度分布である第１輝度分布と、前記発光部から発せられる前記第２色の光を合成した合成光の輝度分布である第２輝度分布とを推定する推定ステップと、
前記第１輝度分布と前記第２輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理ステップと、
を有することを特徴とする画像表示装置の制御方法である。
【０００９】
本発明の第３の態様は、上述した画像表示装置の制御方法の各ステップをコンピュータに実行させるためのプログラムである。
【００１０】
本発明の第４の態様は、
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
前記複数の光源の各々の発光輝度に基づいて、
前記発光部から発せられる前記第１色の光の輝度分布である第１輝度分布、及び、
前記発光部から発せられる前記第２色の光の輝度分布である第２輝度分布と、前記第１輝度分布との差分である第３輝度分布、
を推定する推定手段と、
前記第１輝度分布と前記第３輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理手段と、
を有することを特徴とする画像表示装置である。
【００１１】
本発明の第５の態様は、
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
第１光源の発光輝度が第２光源の発光輝度と異なる場合に、前記第１光源の付近と第２光源の付近との間で前記１色の光と前記第２色の光との輝度比が異なることに起因した前記画面の色ムラを低減する画像処理を前記入力画像データに施し、前記画像処理が施された後の画像データを前記表示部に出力する画像処理手段と、
を有することを特徴とする画像表示装置である。
【発明の効果】
【００１２】
本発明によれば、変換部材を有する画像表示装置において、ローカルデミング制御に起因した色表示ムラを低減することができる。
【図面の簡単な説明】
【００１３】
【図１】本実施形態に係る画像表示装置の機能構成の一例を示すブロック図
【図２】本実施形態に係るバックライトモジュールの構成例を示す図
【図３】本実施形態に係る光源から発せられた光の光路の一例を示す図
【図４】本実施形態に係る輝度分布の一例を示す図
【図５】本実施形態に係る輝度分布の一例を示す図
【図６】本実施形態に係る輝度分布の一例を示す図
【発明を実施するための形態】
【００１４】
以下、本発明の実施形態について説明する。なお、以下では、本実施形態に係る画像表示装置が透過型の液晶表示装置である場合の例を説明するが、本実施形態に係る画像表示装置は透過型の液晶表示装置に限らない。本実施形態に係る画像表示装置は、画像データに基づいて光を変調することで画面に画像を表示する画像表示装置であればよい。例えば、本実施形態に係る画像表示装置は、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置などであってもよい。
【００１５】
図１は、本実施形態に係る画像表示装置の機能構成の一例を示すブロック図である。本実施に係る画像表示装置は、バックライトモジュール３、液晶パネル部４、輝度分布推定部５、画像処理部６、及び、発光制御部７を有する。なお、輝度分布推定部５、画像処理部６、及び、発光制御部７のそれぞれは、個別のハードウェアであってもよいし、そうでなくてもよい。２つ以上の機能部の機能が、共通のハードウェアによって実現されてもよい。
【００１６】
バックライトモジュール３は、液晶パネル部４の背面に光を照射する発光部である。図２は、バックライトモジュール３の構成例を示す図である。図２の例では、バックライトモジュール３は、基板１０１、複数の光源１０２、及び、変換部材１０３を有する。
【００１７】
基板１０１の構成は特に限定されないが、基板１０１として、例えば、光の反射率が高い反射板が使用される。複数の光源１０２は、基板１０１上に設けられている。複数の光源１０２の各々は、第１色の光を発する光源である。第１色は特に限定されないが、本実施形態では、第１色として青色が使用される。各光源１０２の発光輝度は、個別に制御することができる。各光源１０２は、１つ以上の発光素子を有する。発光素子としては、発光ダイオード、有機ＥＬ素子、プラズマ素子、冷陰極管素子、等を使用することができる。各光源１０２から発せられた光（青色の光；青色光）は、変換部材１０３に入射する。
【００１８】
変換部材１０３は、各光源１０２から発せられた青色光の一部を第２色の光に変換して青色光と第２色の光とを含む光を出射する。本実施形態では、第２色の光の主波長は、青色光の主波長よりも長い。具体的には、変換部材１０３は、各光源１０２から発せられた青色光の一部を赤色光（赤色の光）に変換して出射し、各光源１０２から発せられた青色光の一部を緑色光（緑色の光）に変換して出射する。そして、変換部材１０３は、各光源１０２から発せられた青色光の一部を変換して又は変換せずに出射する。本実施形態では、赤色または緑色が、第２色として使用される。変換部材１０３から出射された光は、液晶パネル部４の背面に照射される。例えば、変換部材１０３から赤色光、緑色光、及び、青色光が出射され、出射されたこれらの光を合成した白色光（白色の光）が液晶パネル部４の背面に照射される。
【００１９】
本実施形態では、変換部材１０３は、青色光を赤色光に変換する量子ドット（Ｒ量子ドット）と、青色光を緑色光に変換する量子ドット（Ｇ量子ドット）とを有する。Ｒ量子ドットに青色光が照射されると、Ｒ量子ドットの励起が引き起こされ、Ｒ量子ドットから赤色光が発せられる。Ｇ量子ドットに青色光が照射されると、Ｇ量子ドットの励起が引き起こされ、Ｇ量子ドットから緑色光が発せられる。また、本実施形態では、変換部材１０３は、シート状の部材である。そのため、変換部材１０３は「量子ドットシート」と呼べる。
【００２０】
なお、変換部材１０３による光の変換方法は特に限定されない。例えば、量子ドットとは異なる蛍光体を用いて光が変換されてもよい。また、変換部材１０３による変換後の光は、赤色光と緑色光に限られない。即ち、第２色は赤色または緑色に限られない。例えば、第２色の光として、第１色の光の主波長よりも短い主波長を有する光が使用されてもよい。また、変換部材１０３はシート状の部材に限られない。例えば、変換部材１０３として、或る程度の厚みを有する板状の部材が使用されてもよい。
【００２１】
図１の説明に戻る。発光制御部７は、入力画像データ（画像表示装置に入力された画像データ）に基づいて、各光源１０２の発光輝度を個別に制御する。本実施形態では、発光制御部７は、特徴量取得部１とＢＬ制御値決定部２を有する。なお、特徴量取得部１とＢＬ制御値決定部２のそれぞれは、個別のハードウェアであってもよいし、そうでなくてもよい。特徴量取得部１とＢＬ制御値決定部２の機能が、共通のハードウェアによって実現されてもよい。
【００２２】
特徴量取得部１は、入力画像データから特徴量を取得する。本実施形態では、各光源１０２に、画面の一部の領域（部分領域）が対応付けられている。本実施形態では、複数の光源１０２にそれぞれ対応する複数の分割領域によって、画面の領域が構成されている。特徴量取得部１は、複数の分割領域のそれぞれについて、その分割領域に対応する画像データ（入力画像データの一部）から特徴量を取得する。本実施形態では、特徴量として、分割領域に対応する画像データの画素値の最大値（最大画素値）が取得される。
【００２３】
なお、特徴量は最大画素値に限られない。例えば、特徴量として、画素値の他の代表値（平均値、最小値、中間値、最頻値、等）が取得されてもよい。特徴量として、画素値のヒストグラムが取得されてもよい。特徴量として、輝度値の代表値、輝度値のヒストグラム、等が取得されてもよい。
【００２４】
なお、部分領域は分割領域に限られない。部分領域は他の部分領域から離れていてもよいし、部分領域の少なくとも一部が他の部分領域の少なくとも一部に重なっていてもよい。部分領域と光源１０２の対応関係は、１対１の対応関係でなくてもよい。例えば、１つの部分領域に対して２つ以上の光源１０２が対応付けられていてもよい。
【００２５】
ＢＬ制御値決定部２は、特徴量取得部１によって取得された特徴量に基づいて、各光源１０２のＢＬ制御値を個別に決定する。ＢＬ制御値の決定方法は特に限定されないが、本実施形態では、ＢＬ制御値決定部２は、複数の光源１０２のそれぞれについて、その光源１０２に対応する分割領域に対して取得された特徴量に応じて、当該光源１０２のＢＬ制御値を決定する。そして、ＢＬ制御値決定部２は、各光源１０２のＢＬ制御値をバックライトモジュール３に出力する。ＢＬ制御値は、光源１０２の発光輝度に対応する値である。そのため、「ＢＬ制御値を決定する処理」は、「発光輝度を決定する処理」とも言える。ＢＬ制御値がバックライトモジュール３に入力されることにより、ＢＬ制御値に応じた発光輝度に光源１０２の発光輝度が制御される。そのため、「バックライトモジュール３にＢＬ制御値を出力する処理」は、「光源１０２の発光輝度を制御する処理」とも言える。ＢＬ制御値決定部２では、例えば、最大画素値が低いほど低い発光輝度に光源１０２の発光輝度が制御されるように、ＢＬ制御値が決定される。ＢＬ制御値決定部２により、光源１０２を消灯するＢＬ制御値が決定されてもよい。
【００２６】
このように、本実施形態では、各光源１０２の発光輝度の個別に制御するローカルデミング制御が行われる。しかしながら、バックライトモジュール３が図２に示すような構成を有する場合には、ローカルデミング制御により、バックライトモジュール３からの光に色ムラが発生する。その結果、画面に色ムラ（色表示ムラ）が発生する。
【００２７】
図３（Ａ）は、光源１０２から発せられた光の光路の一例を示す。図３（Ａ）に示すように、光源１０２の周辺部では、光源１０２の直上部に比べ、光源１０２からの青色光が変換部材１０３を通過する距離が長い。青色光が変換部材１０３を通過する距離の増加に伴い、赤色光に変換される青色光の光量と、緑色光に変換される青色光の光量とは増加し、青色光量比は低下する。従って、光源１０２の周辺部では、光源１０２の直上部に比べ、青色輝度比は低い。青色輝度比は、バックライトモジュール３から発せられた赤色光（または緑色光）の輝度に対する、バックライトモジュール３から発せられた青色光の輝度の比（割合）である。図３（Ａ）では、「バックライトモジュール３から発せられた光」は、「変換部材１０３から発せられた（出射された）光」である。
【００２８】
図３（Ｂ）は、光源１０２から発せられた光の光路の他の例を示す。図３（Ｂ）に示すように、光源１０２からの青色光の利用効率を高めるために、液晶パネル部４の下側（液晶パネル部４の背面側；変換部材１０３の上側）に偏光反射板１０４が配置されることがある。この構成では、光源１０２の周辺部において、バックライトモジュール３から発せられた光に、偏光反射板１０４での反射と基板（反射板）１０１での反射とによって何度も変換部材１０３を通った光が含まれる。そして、光が変換部材１０３を通った回数の増加に伴い、青色輝度比は低下する。図３（Ｂ）では、「バックライトモジュール３から発せられた光」は、「偏光反射板１０４から発せられた（出射された）光」である。
【００２９】
このように、１つの光源１０２のみが点灯した場合には、青色輝度比のばらつきが生じる。これは、１つの光源１０２のみが点灯した場合に、バックライトモジュール３から発せられる赤色光（または緑色光）の輝度分布が、バックライトモジュール３から発せられる青色光の輝度分布と異なることを意味する。図４は、これらの輝度分布の一例を示す。図４の縦軸は、バックライトモジュール３から発せられた光の輝度を最大値が所定値となるように正規化した正規化輝度を示す。図４の横軸は、バックライトモジュール３の発光面上の位置を示す。図４において、実線は赤色光（または緑色光）の輝度分布を示し、破線は青色光の輝度分布を示す。図４から、赤色光（または緑色光）の輝度分布が青色光の輝度分布と異なることがわかる。また、青色輝度比（実線の輝度に対する破線の輝度の比）のばらつきが生じていることもわかる。青色輝度比のばらつきが生じることは、バックライトモジュール３からの光に色ムラが生じることを意味する。
【００３０】
図５（Ａ），５（Ｂ）は、バックライトモジュール３から発せられる光の輝度分布の一例を示す。図４の縦軸と同様に、図５（Ａ），５（Ｂ）の縦軸は、バックライトモジュール３から発せられた光の正規化輝度を示す。図４の横軸と同様に、図５（Ａ），５（Ｂ）の横軸は、発光面上の位置を示す。図５（Ａ），５（Ｂ）の細実線は、１つの光源１０２のみが点灯した場合の赤色光（または緑色光）の輝度分布を示し、図５（Ａ），５（Ｂ）の細破線は、１つの光源１０２のみが点灯した場合の青色光の輝度分布を示す。そして、図５（Ａ），５（Ｂ）の太実線は、全ての光源１０２が点灯した場合の赤色光（または緑色光）の輝度分布を示し、図５（Ａ），５（Ｂ）の太破線は、全ての光源１０２が点灯した場合の青色光の輝度分布を示す。太実線の輝度分布は、細実線の複数の輝度分布を合成した輝度分布であり、太破線の輝度分布は、細破線の複数の輝度分布を合成した輝度分布である。図５（Ａ），５（Ｂ）には、対応する位置に光源１０２が記載されている。
【００３１】
図５（Ａ）では、各光源１０２の発光輝度が同じ発光輝度に制御されている。図５（Ａ）では、太実線の輝度分布も太破線の輝度分布も一定であり、青色輝度比（太実線の輝度に対する太破線の輝度の比）のばらつきが生じないことがわかる。即ち、図５（Ａ）では、バックライトモジュール３からの光に色ムラが生じないことがわかる。具体的には、発光面全体で、赤色光と緑色光に比べて青色光が弱いので、発光面全体で、発光面からの光として、黄色に近い色の光が得られ、部分的な色ムラは生じない。
【００３２】
一方、図５（Ｂ）では、１つ光源１０２の発光輝度が他の光源１０２の発光輝度よりも低い発光輝度に制御されている。即ち、図５（Ｂ）では、ローカルデミング制御が行われている。図５（Ｂ）では、太実線の輝度分布と太破線の輝度分布との両方において、発光輝度が低い光源の付近で輝度が低下することがわかる。そして、発光輝度が低い光源の付近と、それ以外の領域との間で青色輝度比（太実線の輝度に対する太破線の輝度の比）が異なることもわかる。即ち、即ち、図５（Ｂ）では、バックライトモジュール３からの光に色ムラが生じることがわかる。具体的には、発光輝度が低い光源の付近で、赤色光と緑色光に比べて青色光が特に弱いので、発光輝度が低い光源の付近で、発光面からの光として、他の領域での発光面からの光の色のよりも黄色に近い色の光が得られ、部分的な色ムラが生じる。
【００３３】
図５（Ｃ）は、赤色光や緑色光の輝度（図５（Ａ），５（Ｂ）の太実線）と、青色光の輝度（図５（Ａ），５（Ｂ）の太破線）との間の輝度比の分布を示す。図５（Ｃ）の縦軸は、輝度比として、青色輝度比の逆数（青色光の輝度に対する赤色光（または緑色光）の輝度の比）を示す。図５（Ｃ）の横軸は、図５（Ａ），５（Ｂ）の横軸と同じである。図５（Ｃ）の細実線は、図５（Ａ）の輝度分布から得られた輝度比を示し、図５（Ｃ）の太実線は、図５（Ｂ）の輝度分布から得られた輝度比を示す。図５（Ｃ）からも、図５（Ａ）の場合には輝度比が一定であり、バックライトモジュール３からの光に色ムラが生じないことがわかる。そして、図５（Ｂ）の場合には輝度比が一定でなく、バックライトモジュール３からの光に色ムラが生じることがわかる。
【００３４】
このように、変換部材１０３が使用される場合には、ローカルデミング制御により、バックライトモジュール３からの光に色ムラが発生する。その結果、色表示ムラが発生する。ローカルデミング制御と共に行われる従来の画像処理では、変換部材１０３を用いることによって発生する上記現象について何ら考慮されていないため、上記色表示ムラを低減することはできない。そこで、本実施形態では、上記現象を考慮した画像処理を行うことにより、上記色表示ムラを低減する。
【００３５】
図１の説明に戻る。輝度分布推定部５は、各光源１０２の発光輝度（ＢＬ制御値決定部２から出力されたＢＬ制御値）に基づいて、バックライトモジュール３から発せられる光の輝度分布を推定する。輝度分布推定部５では、ＢＬ制御値決定部２から出力されたＢＬ
制御値に応じた発光輝度に各光源１０２の発光輝度が制御された場合の輝度分布が推定される。輝度分布推定部５では、青色光の輝度分布である第１輝度分布と、赤色光（または緑色光）の輝度分布である第２輝度分布とが推定される。
【００３６】
画像処理部６は、輝度分布推定部５によって推定された第１輝度分布と第２輝度分布に基づいて、第１輝度分布と第２輝度分布の差に起因した色表示ムラを低減する画像処理（ムラ低減処理）を入力画像データに施す。そして、画像処理部６は、ムラ低減処理が施された後の画像データである表示画像データを液晶パネル部４に出力する。なお、表示画像データの生成のために行われる画像処理は、ムラ低減処理を含んでいればよく、他の画像処理をさらに含んでいてもよい。例えば、ムラ低減処理とは異なる画像処理として、輝度調整処理、色調整処理、ぼかし処理、エッジ強調処理、等がさらに行われてもよい。
【００３７】
液晶パネル部４は、バックライトモジュール３からの光を表示画像データに基づいて変調（透過）することで、画面に画像を表示する表示部である。具体的には、液晶パネル部４は、複数の液晶素子を有する液晶パネル、各液晶素子を駆動する液晶ドライバ、及び、表示画像データに応じて液晶ドライバの処理を制御するコントロール基板を有する。
【００３８】
輝度分布推定部５の処理（輝度分布の推定）の方法は特に限定されないが、本実施形態では、以下の方法で輝度分布が推定される。本実施形態では、光源１０２について、当該光源１０２の発光輝度が所定の発光輝度に制御された場合においてバックライトモジュール３から発せられる青色光の輝度分布である第１基準分布が、予め定められている。また、光源１０２について、当該光源１０２の発光輝度が所定の発光輝度に制御された場合においてバックライトモジュール３から発せられる赤色光（または緑色光）の輝度分布である第２基準分布が、予め定められている。本実施形態では、第１基準分布（第１拡散プロファイル）に関する第１情報と、第２基準分布（第２拡散プロファイル）に関する第２情報とが、輝度分布推定部５に予め記録されている。具体的には、第１基準分布を示す第１テーブルが第１情報として輝度分布推定部５に予め記録されており、第２基準分布を示す第２テーブルが第２情報として輝度分布推定部５に予め記録されている。第１テーブルは、光源１０２からの距離と、バックライトモジュール３から発せられる青色光の輝度との対応関係を示すテーブルである。第２テーブルは、光源１０２からの距離と、バックライトモジュール３から発せられる赤色光（または緑色光）の輝度との対応関係を示すテーブルである。
【００３９】
本実施形態では、輝度分布推定部５は、ＢＬ制御値決定部２によって決定された各光源１０２の発光輝度（ＢＬ制御値）と、第１基準分布（第１情報；第１テーブル）とに基づいて第１輝度分布を推定する。具体的には、輝度分布推定部５は、各光源１０２について、その光源１０２に対してＢＬ制御値決定部２により決定された発光輝度と、第１基準分布とに基づいて、第１部分分布を推定する。第１部分分布は、光源１０２の発光輝度がＢＬ制御値決定部２により決定された発光輝度に制御された場合においてバックライトモジュール３から発せられる青色光の輝度分布である。第１部分分布は、図５（Ａ），５（Ｂ）の細破線が示すような輝度分布である。そして、輝度分布推定部５は、各光源１０２の第１部分分布を合成することにより第１輝度分布を推定する。第１輝度分布は、図５（Ａ），５（Ｂ）の太破線が示すような輝度分布である。
【００４０】
また、本実施形態では、輝度分布推定部５は、ＢＬ制御値決定部２によって決定された各光源１０２の発光輝度（ＢＬ制御値）と、第２基準分布（第２情報；第２テーブル）とに基づいて第２輝度分布を推定する。具体的には、輝度分布推定部５は、各光源１０２について、その光源１０２に対してＢＬ制御値決定部２により決定された発光輝度と、第２基準分布とに基づいて、第２部分分布を推定する。第２部分分布は、光源１０２の発光輝度がＢＬ制御値決定部２により決定された発光輝度に制御された場合においてバックライ
トモジュール３から発せられる赤色光（または緑色光）の輝度分布である。第２部分分布は、図５（Ａ），５（Ｂ）の細実線が示すような輝度分布である。そして、輝度分布推定部５は、各光源１０２の第２部分分布を合成することにより第２輝度分布を推定する。第２輝度分布は、図５（Ａ），５（Ｂ）の太実線が示すような輝度分布である。
【００４１】
なお、第１基準分布と第２基準分布は、１つの光源１０２のみが点灯した場合の輝度分布であってもよいし、そうでなくてもよい。例えば、第１基準分布と第２基準分布は、１つの光源１０２が所定の発光輝度で点灯し、且つ、少なくとも１つの他の光源１０２が非常に低い発光輝度で点灯した場合の輝度分布であってもよい。同様に、第１部分分布と第２部分分布は、１つの光源１０２のみが点灯した場合の輝度分布であってもよいし、そうでなくてもよい。また、所定の発光輝度は特に限定されない。所定の発光輝度は、例えば、各光源１０２を同じ発光輝度で点灯する表示モードで画像表示が行われる場合における各光源１０２の発光輝度である。
【００４２】
なお、輝度分布推定部５とは異なる記憶部が第１情報と第２情報の少なくとも一方を記憶し、輝度分布推定部５は記憶部から第１情報と第２情報の少なくとも一方を読み出して使用してもよい。第１情報と第２情報の少なくとも一方を記憶する記憶部は、画像表示装置に内蔵された記憶部であってもよいし、画像表示装置に対して着脱可能な記憶部であってもよい。
【００４３】
なお、第１情報と第２情報から第１輝度分布と第２輝度分布を把握できれば、第１情報と第２情報はどのような情報であってもよい。例えば、第１情報として、第１テーブルの代わりに、光源１０２からの距離と、バックライトモジュール３から発せられる青色光の輝度との対応関係を示す関数が使用されてもよい。そして、第２情報として、第２テーブルの代わりに、光源１０２からの距離と、バックライトモジュール３から発せられる赤色光（または緑色光）の輝度との対応関係を示す関数が使用されてもよい。情報としてテーブルの代わりに関数が使用されることにより、情報のデータサイズを低減することができる。また、第１情報と第２情報の一方として、輝度分布を示す情報の代わりに、第１基準分布と第２基準分布の差を示す情報（差分情報）が使用されてもよい。輝度分布を示す情報の代わりに差分情報が使用されることにより、情報のデータサイズを低減することができる。
【００４４】
なお、第１基準分布として、複数の光源１０２の間で共通の１つの輝度分布が予め定められていてもよいし、複数の光源１０２にそれぞれ対応する複数の輝度分布が予め定められていてもよい。第２基準分布として、複数の光源１０２の間で共通の１つの輝度分布が予め定められていてもよいし、複数の光源１０２にそれぞれ対応する複数の輝度分布が予め定められていてもよい。
【００４５】
ここで、複数の光源１０２にそれぞれ対応する複数の第１基準分布が予め定められている場合を考える。この場合には、第１基準分布を示す第１情報として、バックライトモジュール３の発光面内の位置と、バックライトモジュール３から発せられる青色光の輝度との対応関係を示すテーブルまたは関数が使用されてもよい。次に、複数の光源１０２にそれぞれ対応する複数の第２基準分布が予め定められている場合を考える。この場合には、第２基準分布を示す第２情報として、バックライトモジュール３の発光面内の位置と、バックライトモジュール３から発せられる赤色光（または緑色光）の輝度との対応関係を示すテーブルまたは関数が使用されてもよい。
【００４６】
次に、画像処理部６の処理の具体例について説明する。ローカルデミング制御が行われる場合には、例えば、画像処理部６の画像処理（輝度補償処理）により、バックライトモジュール３からの光の輝度の低下分だけ画像データが伸長される。それにより、伸長前の
画像データによって表された輝度での表示を実現することができる。変換部材１０３を有する画像表示装置のローカルデミングによって生じる上記色表示ムラは、輝度分布推定部５によって推定された第１輝度分布と第２輝度分布の差に起因する。そのため、本実施形態では、画像処理部６は、上記輝度補償処理において、第１輝度分布と第２輝度分布を考慮する。それにより、画像処理部６は、上記輝度補償処理として、色表示ムラを低減するムラ低減処理を行うことができる。その結果、画像表示装置は、色表示ムラが低減された画像を表示することができる。
【００４７】
本実施形態では、ムラ低減処理として、以下の処理（第１処理と第２処理のいずれか）が行われる。以下では、入力画像データの各画素値が、第１色に対応する第１階調値と、第２色に対応する第２階調値とを含むものとする。また、液晶パネル部４が、１画素に対応する液晶素子として、第１色に対応する第１素子と、第２色に対応する第２素子とを有するものとする。具体的には、入力画像データの各画素値がＲＧＢ値（Ｒ値、Ｇ値、及び、Ｂ値の組み合わせ）であるとする。Ｒ値は赤色に対応する階調値であり、Ｇ値は緑色に対応する階調値であり、Ｂ値は青色に対応する階調値である。本実施形態では、Ｂ値が第１階調値であり、Ｒ値またはＧ値が第２階調値である。そして、液晶パネル部４が、１画素に対応する液晶素子として、赤色に対応するＲ素子、緑色に対応するＧ素子、及び、青色に対応するＢ素子を有するものとする。なお、第１輝度分布と第２輝度分布に基づく方法であれば、ムラ低減処理の方法は特に限定されない。入力画像データのデータフォーマットも特に限定されない。
【００４８】
（第１処理）
第１処理は、対応しない色の光が液晶パネル部４の液晶素子を透過する透過率が十分に低い場合に好ましい処理である。具体的には、第１処理は、緑色光と青色光がＲ素子を透過する透過率、赤色光と青色光がＧ素子を透過する透過率、及び、赤色光と緑色光がＢ素子を透過する透過率が十分に低い場合に好ましい処理である。第１処理では、第１輝度分布に基づいて入力画像データの各第１階調値が補正され、第２輝度分布に基づいて入力画像データの各第２階調値が補正される。具体的には、画像処理部６は、入力画像データの各Ｒ値と各Ｇ値を補正する補正値を第２輝度分布に基づいて決定し、入力画像データの各Ｂ値を補正する補正値を第１輝度分布に基づいて決定する。
【００４９】
図６（Ａ）は、黒色背景上に物体Ｏｂ１，Ｏｂ２が存在する画像が分割領域１，２に表示される場合において、分割領域２での物体Ｏｂ２の輝度低下を補償しない場合の画面例のイメージ図である。分割領域２に対して取得された特徴量（最大画素値）が、分割領域１に対して取得された特徴量（最大画素値）よりも小さいため、分割領域２の光源の発光輝度が分割領域１の光源の発光輝度よりも低くなる。このため、分割領域２での物体Ｏｂ２の輝度低下を補償しない場合は、分割領域１と分割領域２とで、物体Ｏｂ２の表示輝度が異なってしまう。
【００５０】
図６（Ｂ）は、黒色背景上に物体Ｏｂ１，Ｏｂ２が存在する画像が分割領域１，２に表示される場合において、分割領域２での物体Ｏｂ２の輝度低下を補償した画面例のイメージ図である。図６（Ｃ）は、分割領域２での物体Ｏｂ２の輝度低下を補償するために画像データを補正する補正処理について説明するための図である。特徴量取得部１により、分割領域１，２の各々に対応する画像データの特徴量として、画素値の最大値（最大画素値）が取得され、ＢＬ制御値決定部２により、分割領域１，２の各々のＢＬ制御値が決定される。分割領域１において、物体Ｏｂ１の表示輝度が１００ｃｄ／ｍ２であり、且つ、物体Ｏｂ２の表示輝度が５０ｃｄ／ｍ２であるとした場合、分割領域２において、物体Ｏｂ１の表示輝度が１００ｃｄ／ｍ２となり、物体Ｏｂ２の表示輝度が２５ｃｄ／ｍ２となる。輝度分布推定部５により、分割領域１，２の２つの光源から発せられてバックライトモジュール３から発せられる青色光を合成した合成光の第１輝度分布が推定される。さらに
、輝度分布推定部５により、分割領域１，２の２つの光源から発せられてバックライトモジュール３から発せられる赤色光／緑色光を合成した合成光の第２輝度分布が推定される。そして、画像処理部６により、分割領域２における物体Ｏｂ２の表示輝度の低下分を補償するように、入力画像データの各Ｒ値と各Ｇ値と各Ｂ値を補正する補正値が決定される。Ｂ値の補正量は、Ｒ値，Ｇ値の補正量よりも大きい。
【００５１】
そして、画像処理部６は、決定した補正値を用いて、入力画像データの各ＲＧＢ値を補正する。これにより、対応しない色の光が液晶パネル部４の液晶素子を透過する透過率が十分に低い場合において、表示輝度（画面の輝度）として所望の輝度（例えば、入力画像データによって表された輝度）が得られると共に、色表示ムラを低減することができる。
【００５２】
（第２処理）
第２処理は、対応しない色の光が液晶パネル部４の液晶素子を透過する透過率が十分に低くない場合に好ましい処理である。第２処理では、第１輝度分布と第２輝度分布とに基づいて入力画像データの各第１階調値が補正され、第１輝度分布と第２輝度分布とに基づいて入力画像データの各第２階調値が補正される。一般的な液晶パネルでは、対応しない色の光が液晶素子をわずかに透過する。第２処理では、このような透過を考慮して入力画像データの各画素値が補正される。
【００５３】
入力画像データのＲＧＢ値（Ｒ値，Ｇ値，Ｂ値）＝（Ｒｔ，Ｇｔ，Ｂｔ）と、ＲＧＢ値（Ｒｔ，Ｇｔ，Ｂｔ）に対応するＸＹＺ三刺激値（Ｘ値，Ｙ値，Ｚ値）＝（Ｘｔ，Ｙｔ，Ｚｔ）の対応関係は、以下の式１で表すことができる。
【数１】
2017138585.tif 000003
【００５４】
式１において、「ＬＲ」は、バックライトモジュール３から発せられる赤色光の基準輝度であり、「ＬＧ」は、バックライトモジュール３から発せられる緑色光の基準輝度であり、「ＬＢ」は、バックライトモジュール３から発せられる青色光の基準輝度である。そして、「ＭＲ」、「ＭＧ」、及び、「ＭＢ」は、ＲＧＢ値をＸＹＺ三刺激値に変換する３行３列のマトリクスである。具体的には、マトリクスＭＲは、赤色光がＲ素子、Ｇ素子、及び、Ｂ素子を透過することで得られた光のＸＹＺ三刺激値を、基準輝度ＬＲとＲＧＢ値（Ｒｔ，Ｇｔ，Ｂｔ）から得るマトリクスである。マトリクスＭＧは、緑色光がＲ素子、Ｇ素子、及び、Ｂ素子を透過することで得られた光のＸＹＺ三刺激値を、基準輝度ＬＧとＲＧＢ値（Ｒｔ，Ｇｔ，Ｂｔ）から得るマトリクスである。そして、マトリクスＭＢは、青色光がＲ素子、Ｇ素子、及び、Ｂ素子を透過することで得られた光のＸＹＺ三刺激値を、基準輝度ＬＢとＲＧＢ値（Ｒｔ，Ｇｔ，Ｂｔ）から得るマトリクスである。基準輝度ＬＲ，ＬＧ，ＬＢは特に限定されないが、例えば、基準輝度ＬＲ，ＬＧ，ＬＢは、全ての光源１０２を上述した所定の発光輝度で点灯した場合の輝度である。基準輝度ＬＲ，ＬＧ，ＬＢとマトリクスＭＲ，ＭＧ，ＭＢは、予め定められている。
【００５５】
ここで、ローカルデミング制御により、バックライトモジュール３から発せられる赤色光の輝度が基準輝度ＬＲのｋ倍に変化し、バックライトモジュール３から発せられる緑色光の輝度が基準輝度ＬＧのｋ倍に変化したとする。そして、バックライトモジュール３から発せられる青色光の輝度が基準輝度ＬＢのｍ倍に変化したとする。例えば、「ｋ」と「ｍ」は１以下の値であり、「ｋ」は「ｍ」と異なる値である。この場合には、第２処理後のＲＧＢ値（Ｒｔ’，Ｇｔ’，Ｂｔ’）とＸＹＺ三刺激値（Ｘｔ，Ｙｔ，Ｚｔ）の対応関係は、以下の式２で表すことができる。
【数２】
2017138585.tif 000004
【００５６】
式１と式２から、入力画像データのＲＧＢ値（Ｒｔ，Ｇｔ，Ｂｔ）と、第２処理後のＲＧＢ値（Ｒｔ’，Ｇｔ’，Ｂｔ’）との対応関係を表す式として、以下の式３が得られる。
【数３】
2017138585.tif 000005
【００５７】
画像処理部６は、第１輝度分布、第２輝度分布、基準輝度ＬＲと基準輝度ＬＧの少なくとも一方、及び、基準輝度ＬＢに基づいて倍率ｋ，ｍを算出し、式３を用いてＲＧＢ値を補正する。倍率ｋは、輝度分布推定部５によって推定された第１輝度分布と、基準輝度ＬＲ（または基準輝度ＬＧ）とから算出できる。例えば、第１輝度分布によって示された輝度の基準輝度ＬＲに対する比を、倍率ｋとして算出できる。同様に、倍率ｍは、輝度分布推定部５によって推定された第１輝度分布と、基準輝度ＬＢとから算出できる。例えば、第１輝度分布によって示された輝度の基準輝度ＬＢに対する比を、倍率ｍとして算出できる。なお、基準輝度ＬＲに乗算される倍率ｋと、基準輝度ＬＧに乗算される倍率ｋとが個別に算出されてもよい。例えば、第２輝度分布によって示された輝度の基準輝度ＬＲに対する比が、基準輝度ＬＲに乗算される倍率ｋとして算出されてもよい。そして、第２輝度分布によって示された輝度の基準輝度ＬＧに対する比が、基準輝度ＬＧに乗算される倍率ｋとして算出されてもよい。
【００５８】
以上述べたように、本実施形態によれば、第１輝度分布と第２輝度分布が推定され、画像処理において第１輝度分布と前記第２輝度分布が考慮される。それにより、変換部材を有する画像表示装置において、ローカルデミング制御に起因した色表示ムラを低減することができる。
【００５９】
なお、上記第１処理の他の実施例として、第１基準分布と第２基準分布との差分である第３基準分布に関する第３情報として輝度分布推定部５に予め記録されてもよい。具体的には、第１基準分布に関する第１情報と、上記第３情報とが輝度分布推定部５に予め記録されてもよい。この場合、第２基準分布に関する第２情報は、輝度分布推定部５に予め記録されなくてもよい。上述したように、第１基準分布は、光源１０２の発光輝度が所定の発光輝度に制御された場合においてバックライトモジュール３から発せられる青色光の輝度分布である。そして、第２基準分布は、光源１０２の発光輝度が所定の発光輝度に制御された場合においてバックライトモジュール３から発せられる赤色光（または緑色光）の輝度分布である。第３情報は、例えば、第３基準分布を示す第３テーブルである。
【００６０】
この場合、輝度分布推定部５は、ＢＬ制御値決定部２によって決定された各光源１０２の発光輝度（ＢＬ制御値）と、第１基準分布（第１情報；第１テーブル）とに基づいて、第１輝度分布を推定する。第１輝度分布は、各光源から発せられてバックライトモジュール３から発せられる青色光の合成光の輝度分布である。また、輝度分布推定部５は、ＢＬ制御値決定部２によって決定された各光源１０２の発光輝度（ＢＬ制御値）と、第３基準分布（第３情報；第３テーブル）とに基づいて、第３輝度分布を推定する。第３輝度分布
は、各光源から発せられてバックライトモジュール３から発せられる青色光の合成光と、各光源から発せられてバックライトモジュール３から発せられる赤色光（または緑色光）の合成光との差分に対応する輝度分布である。そして、画像処理部６は、入力画像データの各Ｒ値と各Ｇ値と各Ｂ値を補正する補正値を第１輝度分布に基づいて決定し、入力画像データの各Ｒ値と各Ｇ値を補正する補正値を、第３輝度分布に基づいて補正する。入力画像データの各Ｂ値を補正する補正値は、第３輝度分布に基づいて補正する必要はない。そして、画像処理部６は、決定した補正値を用いて、入力画像データの各ＲＧＢ値を補正する。
【００６１】
また、第２基準分布に関する第２情報と、上記第３情報とが輝度分布推定部５に予め記録されてもよい。この場合、第１基準分布に関する第１情報は、輝度分布推定部５に予め記録されなくてもよい。
【００６２】
この場合、輝度分布推定部５は、ＢＬ制御値決定部２によって決定された各光源１０２の発光輝度（ＢＬ制御値）と、第２基準分布（第２情報；第２テーブル）とに基づいて、第２輝度分布を推定する。第２輝度分布は、各光源から発せられてバックライトモジュール３から発せられる赤色光（または緑色光）の合成光の輝度分布である。また、輝度分布推定部５は、ＢＬ制御値決定部２によって決定された各光源１０２の発光輝度と、第３基準分布とに基づいて、第３輝度分布を推定する。そして、画像処理部６は、入力画像データの各Ｒ値と各Ｇ値と各Ｂ値を補正する補正値を第２輝度分布に基づいて決定し、入力画像データの各Ｂ値を補正する補正値を、第３輝度分布に基づいて補正する。入力画像データの各Ｒ値と各Ｇ値を補正する補正値は、第３輝度分布に基づいて補正する必要はない。そして、画像処理部６は、決定した補正値を用いて、入力画像データの各ＲＧＢ値を補正する。
【００６３】
第３情報を用いた上記２種類の方法でも、上記第１処理の場合と同様に、表示輝度（画面の輝度）として所望の輝度（例えば、入力画像データによって表された輝度）が得られると共に、色表示ムラを低減することができる。
【００６４】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１：特徴量取得部  ２：ＢＬ制御値決定部  ３：バックライトモジュール
４：液晶パネル部  ５：輝度分布推定部  ６：画像処理部  ７：発光制御部
１０２：光源  １０３：変換部材
【図１】
2017138585.tif 000006
【図２】
2017138585.tif 000007
【図３】
2017138585.tif 000008
【図４】
2017138585.tif 000009
【図５】
2017138585.tif 000010
【図６】
2017138585.tif 000011